(57)【要約】【課題】  本発明は玉網に関し、柄の後端側の損傷を防止し、併せて良好なバランス調整を可能とした玉網を提供することを目的とする。【解決手段】  請求項１に係る発明は、魚を捕集する網部が取り付く柄の後端側を先鋭状に成形した玉網に於て、柄の後端部に、当該部位を保護する保護部材を装着したことを特徴とする。そして、請求項２に係る発明は、請求項１に記載の玉網に於て、柄の後端側に凹部を形成し、当該凹部に保護部材を係合，固着したことを特徴とし、請求項３に係る発明は、請求項１または請求項２に記載の玉網に於て、保護部材は、柄の外周から外方へ突出していることを特徴とする。更に、請求項４に係る発明は、請求項１乃至請求項３のいずれか１項に記載の玉網に於て、保護部材は、柄の一側から後端部を経て他側に亘って柄の外周に設けられていることを特徴とする。【選択図】    図１
2006223223.tif 000002
【特許請求の範囲】
【請求項１】
魚を捕集する網部が取り付く柄の後端側を先鋭状に成形した玉網に於て、柄の後端部に、当該部位を保護する保護部材を装着したことを特徴とする玉網。
【請求項２】
柄の後端側に凹部を形成し、当該凹部に保護部材を係合，固着したことを特徴とする請求項１に記載の玉網。
【請求項３】
保護部材は、柄の外周から外方へ突出していることを特徴とする請求項１または請求項２に記載の玉網。
【請求項４】
保護部材は、柄の一側から後端部を経て他側に亘って柄の外周に設けられていることを特徴とする請求項１乃至請求項３のいずれか１項に記載の玉網。
【発明の詳細な説明】
【技術分野】
【０００１】
本発明は魚釣りに用いる玉網に係り、詳しくは柄が短く腰に保持して使用される鮎ダモ等の玉網に関する。
【背景技術】
【０００２】
従来、鮎釣りを行う場合に、鮎ダモと称される柄の短い玉網が使用されており、特許文献１に開示されるように釣人は、腰に装着したベルトと身体の間に玉網の柄を差し込んでこれを保持し、鮎の取込みの際に片手で柄を握って玉網を引き抜き使用している。
そして、玉網の抜き差しを容易にするため、柄は後端側が先鋭状に成形され、また、斯かる形状に成形するため、柄の材料には木材や合成樹脂が広く使用されている。
【特許文献１】実公平３−４０１４４号公報
【発明の開示】
【発明が解決しようとする課題】
【０００３】
しかし、斯様にベルトと身体の間に柄を差し込んでいると、例えば休憩のため河原に腰を下ろした際に、先鋭状に成形された柄の後端側が石等に当たって傷が付いてしまうことがあり、また、水中を移動する際にも、柄の後端側が水中の岩等に当たって傷が付いてしまうことがあった。
そして、木製の柄に傷が付くと、そこから柄の内部に水が浸透し、また、従来、玉網の紛失を防止する尻手ロープの取付孔が柄の後端側に設けられているが、柄の後端側が岩等に当たって傷が付くと、長期に亘る使用で取付孔から柄の後端側が欠損してしまう虞もあった。
【０００４】
また、既述したように釣人はベルトと身体の間に柄を差し込んで玉網を保持し、鮎の取込みの際に、柄の先端側（網部との連結側）を掴んで引き抜いて網部で鮎をキャッチング（捕集）するが、柄の材質により比重が異なるため、仕様によって玉網全体のバランスが取り難く、ベルトと身体の間に保持した玉網が不安定となったり、キャッチングの際に取り回しがし難くなる虞もあった。
【０００５】
本発明は斯かる実情に鑑み案出されたもので、柄の後端側の損傷を防止し、併せて良好なバランス調整を可能とした玉網を提供することを目的とする。
【課題を解決するための手段】
【０００６】
斯かる目的を達成するため、請求項１に係る発明は、魚を捕集する網部が取り付く柄の後端側を先鋭状に成形した玉網に於て、柄の後端部に、当該部位を保護する保護部材を装着したことを特徴とする。
そして、請求項２に係る発明は、請求項１に記載の玉網に於て、柄の後端側に凹部を形成し、当該凹部に保護部材を係合，固着したことを特徴とし、請求項３に係る発明は、請求項１または請求項２に記載の玉網に於て、保護部材は、柄の外周から外方へ突出していることを特徴とする。
【０００７】
更に、請求項４に係る発明は、請求項１乃至請求項３のいずれか１項に記載の玉網に於て、保護部材は、柄の一側から後端部を経て他側に亘って柄の外周に設けられていることを特徴とする。
【発明の効果】
【０００８】
各請求項に係る発明によれば、柄の後端部が保護部材で保護されて傷が付く虞がなくなるため、長期に亘って玉網を良好に使用することができると共に、柄の材質に応じて保護部材の材質を代えたり、保護部材の形状を調整する等して、支点となるベルト位置に重心部分を配するようにバランス調整することで、ベルトと身体の間に柄を差し込んで玉網を保持する際に玉網が安定し、また、手で握る位置に重心部を配することで、鮎のキャッチングの際に取り回しが容易となる等の利点を有する。
【０００９】
また、請求項３に係る発明は、柄の外周から保護部材を外方へ突出させたので、より確実に柄の後端部の保護が図れると共に、保護部材がベルトに係止されるため、ベルトと身体の間に差し込んだ柄が不用意に抜け落ちてしまうことがない利点を有する。
【発明を実施するための最良の形態】
【００１０】
以下、本発明の実施形態を図面に基づいて詳細に説明する。
図１乃至図４は請求項１，請求項２及び請求項４に係る玉網の一実施形態を示し、図中、１は木材や繊維強化樹脂等の合成樹脂で断面略円形形状に成形された玉網３の柄で、従来と同様、柄１の先端側に、網枠５に網７が装着された網部９が、当該網部９と柄１に取り付く樹脂製の連結部材１１，１３を介して着脱自在に連結されており、網部９側の連結部材１１は平面視略Ｙ字状に成形されて、網枠５に沿って左右に延設されたアーム部１５，１７に網枠５の左右の各端部が挿着されている。
【００１１】
そして、柄１の後端側は略弓形形状に成形されて、尻手ロープの取付孔１９が設けられると共に、腰に装着したベルトと身体の間に柄１が容易に抜き差しできるように先鋭状に成形されているが、本実施形態は、斯かる構成に加え、柄１の後端部２１に、当該後端部２１を保護する保護部材（プロテクター）２３を取り付けたもので、保護部材２３は柄１の成形材料（木材や合成樹脂）より硬質の材料からなり、真鍮やチタン，ステンレス等の金属で形成されている。
【００１２】
即ち、図２乃至図４に示すように柄１の後端部２１の中央には、柄１の中心に沿って上下方向に切り欠かれた１本の幅狭な均一幅の凹部（切欠き）２５が、後端部２１から所定の範囲に亘って設けられている。そして、当該凹部２５内に、柄１の断面形状と同一形状に成形された均一な厚みを有するプレート状の保護部材２３が係合，固着されており、図示するように保護部材２３は、柄１の外周と面一とされて柄１の一側から後端部２５を経て他側に亘って柄１の外周に露出し、斯かる構成によって柄１の後端側外周を保護している。
【００１３】
而も、先鋭状の後端側は、後端部２１に丸み部を有するように細先き状に成形されており、斯かる形状によってベルトと身体の間の差し込みが容易で、柄１の後端部２１が服に引っ掛かることがないようになっている。
そして、図３に示すように保護部材２３にも、柄１に設けた取付孔１９と同軸上に取付孔２７が設けられている。
【００１４】
本実施形態に係る玉網３はこのように構成されており、従来と同様、釣人は柄１を腰に装着したベルトと身体の間に差し込んで玉網３を保持し、鮎の取込みの際に片手で柄１を握って玉網３を引き抜き使用するが、柄１は後端側が先鋭状に成形されているため、抜き差しが容易である。
而も、既述したように先鋭状の後端側は、後端部２１に丸み部を有するように細先き状となっているため、ベルトと身体の間の差し込みが容易で、柄１の後端部２１が服に引っ掛かることがない。
【００１５】
また、既述したようにベルトと身体の間に柄１を差し込んでいると、例えば休憩のため河原に腰を下ろした際に、柄１の後端部２１が石等に当たるが、凹部２５に係合，固着して柄１の上部から後端部２１を経て下部に亘って設けられた保護部材２３が、柄１の後端部２１に沿ってその表面に露出しているため、柄１の後端側外周を保護して傷付きを防止する。
【００１６】
そして、既述したように保護部材２３は、柄１の外周と面一とされて凹部２５に係合，固着されているため、柄１の抜き差しの際に保護部材２３がベルトに引っ掛かることがない。
また、保護部材２３は、柄１に比し比重の大きな金属で成形されているから、柄１の材質に応じて保護部材２３の材質を代えたり、凹部２５と保護部材２３の形状を調整することで玉網３全体のバランス調整を図ることが可能となる。
【００１７】
このように本実施形態によれば、柄１の後端部２１が保護部材２３で保護されて傷が付く虞がなくなるため、長期に亘って玉網３を良好に使用することができると共に、柄１の材質に応じて保護部材２３の材質を代えたり、凹部２５と保護部材２３の形状を調整する等して、支点となるベルト位置に重心部分を配するようにバランス調整することで、ベルトと身体の間に柄１を差し込んで玉網３を保持する際に玉網３が安定し、また、手で握る位置に重心部を配することで、鮎のキャッチングの際に取り回しが容易となる等の利点を有する。
【００１８】
図５乃至図７は請求項１乃至請求項４の一実施形態に係る玉網の柄を示し、本実施形態の柄２９も前記柄１と同一材料で成形されて、後端側に尻手ロープの取付孔１９が設けられると共に、柄２９が容易に抜き差しできるように後端側が先鋭状に成形されている。
そして、図５及び図６に示すように柄２９の後端側の外周には、柄２９の上部から後端部３１を経て下部に至る凹部（溝）３３が、柄２９の中心に沿って後端部３１から所定の範囲に亘って設けられており、図６に示すように凹部３３の底部３５は、後述する保護部材３７が柄２９の後方から当該柄２９の軸方向に沿って矢印Ａ方向へ真っ直ぐ挿着できるように、柄２９の後方へストレートに突出した形状とされている。
【００１９】
保護部材３７は、上記凹部３３に係合可能な均一の厚みを持った金属製のプレート部材からなり、前記保護部材２３と同一材料で成形されている。そして、保護部材３７は、凹部３３の底部３５に沿って柄２９の後方から矢印Ａ方向へ真っ直ぐ取り付けられるように、凹部３３の底部３５に沿った内周形状に成形され、また、図示するようにその外周が、柄２９の外周から外方へ突出するリブ３９として機能するように、柄２９の断面形状よりもやや大きな外形形状とされている。
【００２０】
そして、保護部材３７には、柄２９に設けた取付孔１９と同軸上に取付孔４１が設けられている。
このように柄２９は後端側が先鋭状に成形されているため、当該柄２９を用いた玉網も抜き差しが容易である。
そして、ベルトと身体の間に柄２９を差し込んでいると、既述したように河原に腰を下ろした際に、柄２９の後端部３１が石等に当たることがあるが、柄２９の外周から外方へ突出する保護部材３７のリブ３９が、柄２９の後端側外周を保護して傷付きを防止すると共に、柄２９がベルトと身体の間から不用意に抜け落ちてしまうことを防止する。
【００２１】
また、保護部材３７は、柄２９に比し比重の大きな金属で成形されているから、本実施形態に於ても、柄２９の材質に応じて保護部材３７の材質を代えたり、リブの突出量を調整することで玉網全体のバランス調整を図ることが可能となる。
従って、本実施形態によっても、柄２９の後端部３１が保護部材３７（リブ３９）で保護されて傷が付く虞がなくなるため、長期に亘って玉網を良好に使用することが可能になるが、本実施形態は柄２９の外周から保護部材３７のリブ３９を外方へ突出させたので、保護部材３７がベルトに係止されて、ベルトと身体の間に差し込んだ柄２９が不用意に抜け落ちてしまうことがなく、そして、図１の実施形態に比しより確実に後端部３１の保護が図れる利点を有する。
【００２２】
また、本実施形態によっても、柄２９の材質に応じて保護部材３７の材質を代えたりリブ３９の突出量を調整する等して、支点となるベルト位置に重心部分を配するようにバランス調整することで、ベルトと身体の間に柄２９を差し込んで玉網を保持する際に玉網が安定し、また、手で握る位置に重心部を配することで鮎のキャッチングの際に取り回しが容易となる等の利点を有する。
【００２３】
尚、図５の実施形態では、１枚の保護部材３７を柄２９の後端側に装着したが、柄の中心を挟んで２枚の同様な保護部材を柄の後端側に装着してもよいし、また、例えば保護部材を断面十字状に成形して、これを柄の後端側に装着してもよい。
而して、これらの実施形態によっても、既述した実施形態と同様、所期の目的を達成することが可能である。
【００２４】
図８及び図９は請求項１及び請求項２の一実施形態に係る玉網の柄を示し、図示するように本実施形態は、先鋭状に成形された柄４３の後端部４５に、前記保護部材２３と同一材料を持って断面略Ｕ字状に成形したキャップ状の保護部材４７が柄４３の外周と面一に係合可能な凹部４９を設けて、当該凹部４９に保護部材４７を係合，固着したものである。
【００２５】
而して、本実施形態によっても、柄４３の後端部４５が保護部材４７で保護されて傷が付く虞がなくなると共に、柄４３の材質に応じて保護部材４７の材質を代える等のバランス調整を図ることで、ベルトと身体の間に柄４３を差し込んで玉網を保持する際に玉網が安定し、また、手で握る位置に重心部を配することで、鮎のキャッチングの際に取り回しが容易となる等の利点を有する。
【００２６】
尚、上述した各実施形態では、玉網の柄１，２９，４３の後端部を先鋭状にしたが、ベルトと身体の間への差し込みが行い易くなるように先細り状に成形されたものを含み、その形状は上述した各実施形態に限定されるものではない。
【図面の簡単な説明】
【００２７】
【図１】請求項１，請求項２及び請求項４の一実施形態に係る玉網の全体斜視図である。
【図２】柄の後端側の拡大斜視図である。
【図３】柄の後端側の拡大断面図である。
【図４】図２のIV−IV線断面図である。
【図５】請求項１乃至請求項４の一実施形態に係る玉網の柄の後端側の拡大斜視図である。
【図６】柄の後端側の拡大断面図である。
【図７】図５のVII−VII線断面図である。
【図８】請求項１及び請求項２の一実施形態に係る玉網の柄の後端側の拡大斜視図である。
【図９】柄の後端側の拡大断面図である。
【符号の説明】
【００２８】
１，２９，４３  柄
３  玉網
５  網枠
７  網
９  網部
２１，３１，４５  後端部
２３，３７，４７  保護部材
２５，３３，４９  凹部
３９  リブ
【図１】
2006223223.tif 000003
【図２】
2006223223.tif 000004
【図３】
2006223223.tif 000005
【図４】
2006223223.tif 000006
【図５】
2006223223.tif 000007
【図６】
2006223223.tif 000008
【図７】
2006223223.tif 000009
【図８】
2006223223.tif 000010
【図９】
2006223223.tif 000011